(57)【要約】【課題】  著名人のプロモーション作りにファン、サポータ等の一般ユーザが参加でき、より効果的なファン参加型のプロモーションを行えるプロモーションネットシステムを提供する。【解決手段】  プロモーションネットシステム１における著名人のプロモーションを行うウエブサイトは、著名人またはその支援を行う企業ユーザ及びアーティスト、クリエーター等により構築される公式サイト１１と、著名人のファン、サポータ等の一般ユーザにより構築される公認サイト１２とを有する。さらに、著名人の種々の情報を蓄積記憶するデータベース１５と、各サイトでの表示、更新、その他を制御を行う管理サーバ１６を備える。公認サイトには、電子掲示板２１が付設され、一般ユーザや企業ユーザによる書込、閲覧可能に構成される。また、ユーチューブ（ｙｏｕｔｕｂｅ）、ウィキペディア（ｗｉｋｉｐｅｄｉａ）等の外部サイトコンテンツからの流用データをまとめるまとめ手段３１を備える【選択図】図１
2014096130.tif 000002
【特許請求の範囲】
【請求項１】
著名人のプロモーションを行うウエブサイトを備えたプロモーションネットシステムであって、
前記ウエブサイトは、著名人あるいはその支援を行う企業ユーザ及びアーティスト、クリエーター等により構築される公式サイトと、著名人のファン、サポータ等の一般ユーザにより構築される公認サイトとを有するとともに、
前記著名人の種々の情報を蓄積記憶するデータベースと、前記各サイトでの表示、更新、その他を制御を行う管理サーバを備えてなり、
前記公認サイトには、電子掲示板が付設され、一般ユーザや企業ユーザ等による書込、閲覧可能に構成されていることを特徴とするプロモーションネットシステム。
【請求項２】
請求項１記載のプロモーションネットシステムにおいて、
前記公認サイトには、フェイスブック、ツイッタ、ミクシィ等のソーシャルネットサービス（ＳＮＳ）が関連付けられ、投稿可能に構成されていることを特徴とするプロモーションネットシステム。
【請求項３】
請求項１または請求項２記載のプロモーションネットシステムにおいて、
前記公認サイトは、一般ユーザや企業ユーザがユーチューブ（ｙｏｕｔｕｂｅ）、ウィキペディア（ｗｉｋｉｐｅｄｉａ）等の外部サイトコンテンツからの流用データをまとめるまとめ手段を備えていることを特徴とするプロモーションネットシステム。
【請求項４】
請求項１ないし請求項３のいずれか１項に記載のプロモーションネットシステムにおいて、
前記公認サイトには、プロモーションに参加した一般ユーザを「いいね！」ボタン操作、あるいはその他のプロモーション行動結果に基づきポイントを取得するポイントカウント手段と、このポイントカウント手段により取得したポイント数によりランキングするランキング手段とが付設されていることを特徴とするプロモーションネットシステム。
【発明の詳細な説明】
【技術分野】
【０００１】  本発明は、たとえばタレントやアーティスト等を初めとする各種の著名人のプロモーションを行うプロモーションネットシステムに関し、特にファン等の一般ユーザがプロモーション作りに参加することにより、より一層多様化を図ったプロモーションを効果的に行うことが可能となるファン参加型のプロモーションネットシステムに関する。
【背景技術】
【０００２】  近年、インターネットの普及と共に、様々な企業や商品、さらにはタレント、アーティスト等の紹介、あるいはユーザやファン等との仲介等といった情報開示を行う様々なサイトが増加の一途を辿っている。例えば、芸能関係のタレントやアーティスト等のプロモーション、特に宣伝、紹介を行うＷｅｂサイトは数多く存在する（例えば、特許文献１等参照）。【０００３】  また、タレント、アーティスト等の宣伝、紹介を行うほか、ファン等の一般ユーザとのコミュニケーションを行えるようにしたサイトも知られている（例えば、特許文献２等参照）。
【先行技術文献】
【特許文献】
【０００４】
【特許文献１】  特開２００２−１６３４０２号公報
【特許文献２】  特開２００２−３２８９９４号公報
【発明の概要】
【発明が解決しようとする課題】
【０００５】  しかし、従来から知られているプロモーションネットシステムでは、著名人自身あるいはその支援を行う企業ユーザ及びアーティスト、クリエーター等が構築した公式サイトや公認サイトを、ファン、サポータ等の一般ユーザに提供しているだけのものであり、一般ユーザが情報収集、整理、まとめを含めて構築、運営するプロモーションサイトとは言えないものであり、多様性に欠けるものであった。【０００６】  特に、最近はツイッタ（登録商標）やフェイスブック（登録商標）等といったソーシャルメディア（ＳＮＳ）も盛んになっており、これらのソーシャルネットワークサービスをも合わせて併用できる構成とすることが望まれる。そして、上述したプロモーションサイトにあっても、これらの機能を併用し、ファン、サポータ等の一般ユーザが情報収集、整理、まとめを含めた構築、運営を行えるプロモーションサイトの出現が求められている。【０００７】  また、一般ユーザや企業ユーザは、著名人に関する情報を、ユーチューブ（ｙｏｕｔｕｂｅ）、ウィキペディア（ｗｉｋｉｐｅｄｉａ）等の外部サイトコンテンツを検索して抽出、収集することも考えられており、これらの点をも考慮することが望まれている。【０００８】  本発明はこのような事情に鑑みてなされたものであり、各種の著名人のプロモーションを行うにあたって、ファン等の一般ユーザがプロモーション作りに参加することにより、より一層効果的なファン参加型のプロモーションを行うことができるプロモーションネットシステムを得ることを目的とする。
【課題を解決するための手段】
【０００９】  このような目的に応えるために本発明（請求項１記載の発明）に係るプロモーションネットシステムは、著名人のプロモーションを行うウエブサイトを備えたプロモーションネットシステムであって、前記ウエブサイトは、著名人あるいはその支援を行う企業ユーザ及びアーティスト、クリエーター等により構築される公式サイトと、著名人のファン、サポータ等の一般ユーザにより構築される公認サイトとを有するとともに、前記著名人の種々の情報を蓄積記憶するデータベースと、前記各サイトでの表示、更新、その他を制御を行う管理サーバを備えてなり、前記公認サイトには、電子掲示板が付設され、一般ユーザや企業ユーザ等による書込、閲覧可能に構成されていることを特徴とする。【００１０】  本発明（請求項２記載の発明）に係るプロモーションネットシステムは、請求項１において、前記公認サイトには、フェイスブック、ツイッタ、ミクシィ等のソーシャルネットサービス（ＳＮＳ）が関連付けられ、投稿可能に構成されていることを特徴とする。【００１１】  本発明（請求項３記載の発明）に係るプロモーションネットシステムは、請求項１または請求項２において、前記公認サイトは、一般ユーザや企業ユーザがユーチューブ（ｙｏｕｔｕｂｅ）、ウィキペディア（ｗｉｋｉｐｅｄｉａ）等の外部サイトコンテンツから流用してまとめるまとめ手段を備えていることを特徴とする。【００１２】  本発明（請求項４記載の発明）に係るプロモーションネットシステムは、請求項１ないし請求項３のいずれか１項において、前記公認サイトには、プロモーションに参加した一般ユーザを「いいね！」ボタン操作、あるいはその他のプロモーション行動結果に基づきポイントを取得するポイントカウント手段と、このポイントカウント手段により取得したポイント数によりランキングするランキング手段とが付設されていることを特徴とする。
【発明の効果】
【００１３】  以上説明したように本発明に係るプロモーションネットシステムによれば、著名人のプロモーションを行うウエブサイトを、著名人あるいはその支援企業等の企業ユーザにより構築される公式サイトと、著名人のファン、サポータ等の一般ユーザにより構築される公認サイトとを有するとともに、著名人の種々の情報を蓄積記憶するデータベースと、前記各サイトでの表示、更新、その他を制御を行う管理サーバを備え、公認サイトに、電子掲示板を付設し、一般ユーザや企業ユーザによる書込、閲覧可能に構成しているので、簡単な構成であるにもかかわらず、ファン等の一般ユーザ参加型の公認サイトを構築することができる。【００１４】  特に、本発明によれば、ファン、サポータ等の一般ユーザが情報収集、整理、まとめを含めた構築、運営を行えるプロモーション用の公認サイトの出現が要望されており、これを満足し得るものである。【００１５】  また、本発明によれば、一般ユーザや企業ユーザが検索、閲覧することにより、ユーチューブ（ｙｏｕｔｕｂｅ）、ウィキペディア（ｗｉｋｉｐｅｄｉａ）等の外部サイトコンテンツから流用した情報データを抽出収集することで、これらをまとめるまとめ手段により、公認サイトを作成することができる。【００１６】  また、本発明によれば、ファン等の一般ユーザがインターネット上で種々の情報収集（キューレータ）をしたり、「いいね！」ポイントを取得することでランキングを競ったり、プレゼントサービスを活用したりすることが可能で、これによりファン参加型としてのプロモーションネットサービスを多様化し、誰でもが楽しめる著名人プロモーションサイトを構築することができる。このようなポイント取得としては、上述した「いいね！」ボタン操作に限らず、一般ユーザによる様々なプロモーション行動結果に基づいて、ポイント取得を行えるようにすることは自由である。
【図面の簡単な説明】
【００１７】
【図１】  本発明に係るプロモーションネットシステムの一実施形態を示す全体の概略構成図である。
【発明を実施するための形態】
【００１８】  図１は本発明に係るプロモーションネットシステムの一実施形態を示す。
図において、全体を符号１で示すプロモーションネットシステムは、種々な著名人のプロモーションを行うプロモーション用のウエブサイトを備えたものであって、このウエブサイトは、著名人あるいはその支援を行う企業ユーザ及びアーティスト、クリエーター等（以下、企業ユーザという）２により構築される公式サイト１１と、著名人のファン、サポータ等の一般ユーザ３などにより構築される公認サイト１２とを有している。
【００１９】  また、このウエブサイトは、前記著名人の種々の情報を蓄積記憶するデータベース１５と、前記各サイト１１，１２での表示、更新、その他を制御を行う管理サーバ１６を備えている。
【００２０】  ここで、「著名人」とは、一定数以上のファン、またはいわゆるグッドウイルを有する、スポーツ選手、そのＯＢ、芸能人、文化人、カウンセラー、オーソリティー等をいう。「芸能人」とは、例えば歌手、俳優、声優、舞踏家、バレリーナ、タレント、漫才師、落語家、奇術師、コメディアン等をいう。また、「文化人」とは、たとえば小説家、詩人、エッセイスト、作詞家、作曲家、指揮者、画家、評論家、大学教授、漫画家、コラムニスト等をいう。また「オーソリティー」とは、法律学者、経済学者、数学者等をいう。勿論、本発明における著名人は、上記種目、職業等に限定されるものではなく、また、上記種目、職業等が重複していてもよく、一定数以上のファン・クライアントがいれば本発明の適用が可能である。
【００２１】  また、企業ユーザ２には、例えば芸能プロダクションの他、モデルクラブ、劇団、その他の前記タレントを管理する種々企業や個人を含んでいる。検索用ユーザーは、テレビ局、映画会社、広告代理店、番組制作会社、ＣＭ制作会社、スポンサー等、キャスティング事務所、出版社、新聞社、その他の芸能分野で制作を行う種々企業や個人を含んでいる。
【００２２】  前記公認サイト１２には、電子掲示板２１が付設され、一般ユーザや企業ユーザによる書込、閲覧可能に構成されている。
【００２３】  また、前記公認サイト１２は、一般ユーザや企業ユーザがユーチューブ（ｙｏｕｔｕｂｅ）、ウィキペディア（ｗｉｋｉｐｅｄｉａ）等の外部サイトコンテンツから流用してまとめるまとめ手段３１が設けられている。このまとめ手段３１は、種々の外部サイトのコンテンツをキュレーションし、表現することで、当該著名人に関する情報などを収集してまとめるところである。
【００２４】  さらに、前記公認サイト１２には、フェイスブック、ツイッタ、ミクシィ等のソーシャルネットサービス（ＳＮＳ）４０が関連付けられ、投稿可能に構成されている。
【００２５】  また、前記公認サイト１２には、プロモーションに参加した一般ユーザ３を「いいね！」ボタン操作に基づきポイントを取得するポイントカウント手段３３と、このポイントカウント手段により取得したポイント数によりランキングするランキング手段３４とが付設されている。このようなポイント取得としては、上述した「いいね！」ボタン操作に限らず、一般ユーザによる様々なプロモーション行動結果に基づいて、ポイント取得を行えるようにすることができる。
【００２６】  上述した構成によるプロモーションネットシステム１によれば、ファン、サポータ等の一般ユーザ３は、その著名人に対する情報収集、整理、まとめを行う。すなわち、本発明に係る公認サイト１２がもつ電子掲示板２１に対して、種々の書込を行うとともに、その編集、整理、まとめを行い、プロモーションサイトとして構築する。
【００２７】  そして、このような構成を採用すると、ファン等の一般ユーザ３の参加型である公認サイト１２を構築することができ、しかもその多様化を図ることができる。
【００２８】  特に、ファン、サポータ等の一般ユーザが情報収集、整理、まとめを含めた構築、運営を行えるプロモーション用の公認サイトの出現が要望されており、これを満足し得るものである。
【００２９】  また、上述した構成によれば、ファン等の一般ユーザがインターネット上で種々の情報収集（キューレータ）をしたり、「いいね！」ポイントを取得することでランキングを競ったり、プレゼントサービスを活用したりすることが可能で、これによりファン参加型としてのプロモーションネットサービスを多様化し、誰でもが楽しめる著名人プロモーションサイトを構築することができる。
【００３０】  上述したように「いいね！」ポイント、あるいは各種のプロモーション行動結果によるポイントを取得することで、ポイントをカウントし、ランキングすることにより、一般ユーザ３間での競いを高めることにより、プロモーション効果をより一層効果的に図ることができる。
しかも、前記ポイントによって、一般ユーザ３に対してプレゼントなどを還元し、結果として一般ユーザ３の励みを高めて、プロモーションサイトとしての効果を高めることができる。
【００３１】  なお、上述した公認サイト１２には、ツイッタ等のソーシャルネットサービス４０を関連づけして併用できるようにし、適宜の書込などを行えるようにすることで、より一層広い範囲での一般ユーザの会員化を図り、著名人のプロモーションを効果的に行えるようにするとよい。
【００３２】  なお、本発明は上述した実施形態で説明した構造には限定されず、プロモーションネットシステム１を構成する各部の形状、構造等を適宜変形、変更し得ることはいうまでもない。
たとえば上述した実施形態では、著名人、特に各種のアーティスト等のプロモーションを行う場合を説明したが、これに限定されず、あらゆる商品などのプロモーションを行う場合にも適用可能であることは勿論である。
【符号の説明】
【００３３】  １    プロモーションネットシステム
２    企業ユーザ（企業ユーザ及びアーティスト、クリエーターなど）
３    一般ユーザ（ファン、サポータなど）
１１    公式サイト
１２    公認サイト
１５    データベース
１６    管理サーバ
２１    電子掲示板
３１    まとめ手段
【図１】
2014096130.tif 000003